(57)【要約】  記録担体１１上に情報を記録する装置が、多層記録担体をフォーマットするように構成される。この装置は、ユーザデータ領域内の位置が未記録である際に、それらの位置にダミーデータ６０を書き込むことによるデアイシング処理を含むフォーマット処理により、記録担体をフォーマットするフォーマット手段１６を含む。フォーマット手段１６は、第１の層４０と、予め規定された記録フォーマットに従ってユーザデータが最初に記録される、第１の層上の位置を示す第１の半径方向位置５０とを決定する。続いて、第１の半径方向位置の第１のユーザデータ５５に対向する位置において、記録担体の第２の層４１上にダミーデータを書き込むことにより、デアイシング処理が開始される。こうして、ユーザデータ５５に対向する、デアイシングされた領域５８が生成される。
2009518771.tif 000002
【特許請求の範囲】
【請求項１】
光学的に書換可能なタイプの記録担体上に情報を記録する装置であって、
前記記録担体の層上のデータの記録および取出しのために、前記記録担体を走査する走査手段と、
ユーザデータ領域を規定する予め規定された記録フォーマットに従って、前記記録担体のフォーマット処理を行うフォーマット手段であって、該フォーマット処理が、前記ユーザデータ領域内の位置が未記録である際に、該位置にダミーデータを書き込むことによるデアイシング処理を含むものである、フォーマット手段とを含み、
前記フォーマット手段が、
− 第１の層と、前記予め規定された記録フォーマットに従ってユーザデータが最初に記録される、前記第１の層上の位置を示す第１の半径方向位置とを決定すること、および
− 前記第１の半径方向位置において、前記記録担体の第２の層上への前記ダミーデータの書込みを開始すること
により、多層記録担体のデアイシング処理を行うように構成されていることを特徴とする装置。
【請求項２】
− 少なくとも第１の層および第２の層と、
− 前記第１の層上に第１の部分を有し、前記第２の層上に第２の部分を有する前記ユーザデータ領域を構成するための、第１の方向に延びる前記第１の層上のトラック、および前記第１の方向と反対向きの第２の方向に延びる前記第２の層上のトラックと
を含む前記多層記録担体に適応させるため、
前記フォーマット手段が、
− 前記第１の半径方向位置として、前記第１の方向において前記第１の部分に先行する開始領域の、近傍位置を特定すること、および
− 前記第２の方向において前記第２の部分に後続する終端領域の、前記第２の層上における近傍位置に、第１のダミーユニットが書き込まれるようにして、前記ダミーデータをダミーユニット単位で書き込むこと
により、前記デアイシング処理を行うように構成されていることを特徴とする請求項１記載の装置。
【請求項３】
前記フォーマット手段が、前記第２の層上の前記第１のダミーユニットの後に、該第１のダミーユニットに隣接する隣接部分のシーケンスであって、前記第２の方向と反対向きの方向を有するシーケンスで、後続のダミーユニットを書き込むことにより、前記デアイシング処理を行うように構成されていることを特徴とする請求項２記載の装置。
【請求項４】
前記フォーマット手段が、
− 前記第１の層上において、その位置まで該第１の層上に前記予め規定された記録フォーマットに従ってユーザデータが記録される境界半径方向位置を示す、第２の半径方向位置を決定すること、および
− 前記記録担体の前記第２の層上において、前記第１の半径方向位置から前記第２の半径方向位置まで、前記ダミーデータを書き込むこと
により、前記デアイシング処理を行うように構成されていることを特徴とする請求項１記載の装置。
【請求項５】
前記フォーマット手段が、
− 前記第１の層上において、その位置まで該第１の層上にユーザデータが記録済みである中間半径方向位置を示す、第３の半径方向位置を決定すること、および
−前記記録担体の前記第２の層上において、前記第１の半径方向位置から前記第３の半径方向位置まで前記ダミーデータを書き込み、続いて、前記第１の層上において、前記第３の半径方向位置に隣接する位置に、前記ダミーデータを書き込むこと
により、前記デアイシング処理を行うように構成されていることを特徴とする請求項１記載の装置。
【請求項６】
前記フォーマット手段は、先行ダミーユニットに隣接する位置の各シーケンスであって、各層上の該各シーケンスが同一の半径方向を有する各シーケンスで、後続のダミーユニットが、前記第１の層上および少なくとも１つの別の層上に交互に記録されるようにして、前記ダミーデータをダミーユニット単位で書き込むことにより、前記デアイシング処理を行うように構成されていることを特徴とする請求項５記載の装置。
【請求項７】
前記フォーマット手段が、前記多層記録担体の各層について、連続して書き込まれた領域のサイズおよび／または位置を示す、ステータス情報を保持するように構成されており、特別な場合においては、前記フォーマット手段が、前記記録担体上に前記ステータス情報を記録、および／または前記記録担体上の前記ステータス情報を取り出すように構成されていることを特徴とする請求項１記載の装置。
【請求項８】
ビデオデータを処理するための入力ユニットを含む、ビデオレコーダ装置であることを特徴とする請求項１記載の装置。
【請求項９】
データの記録および取出しのために、光学的に書換可能なタイプの記録担体をフォーマットする方法であって、
ユーザデータ領域を規定する予め規定された記録フォーマットに従って、前記記録担体のフォーマット処理を行う工程であって、該フォーマット処理が、前記ユーザデータ領域内の位置が未記録である際に、該位置にダミーデータを書き込むことによるデアイシング処理を含むものである工程を含み、
前記フォーマット処理を行う工程が、
− 第１の層と、前記予め規定された記録フォーマットに従ってユーザデータが最初に記録される、前記第１の層上の位置を示す第１の半径方向位置とを決定すること、および
− 前記第１の半径方向位置において、前記記録担体の第２の層上への前記ダミーデータの書込みを開始すること
により、多層記録担体のデアイシング処理を行う工程を含んでいることを特徴とする方法。
【請求項１０】
プロセッサに請求項９記載の方法を実行させるように動作可能であることを特徴とする、データの記録および取出しのために記録担体をフォーマットするコンピュータプログラム。
【発明の詳細な説明】
【技術分野】
【０００１】
本発明は、光学的に書換可能なタイプの記録担体上に情報を記録する装置であって、記録担体の層上のデータの記録および取出しのために、その記録担体を走査する走査手段と、ユーザデータ領域を規定する予め規定された記録フォーマットに従って、記録担体のフォーマット処理を行うフォーマット手段とを含み、上記のフォーマット処理が、ユーザデータ領域内の位置が未記録である際に、それらの位置にダミーデータを書き込むことによるデアイシング処理を含むものである装置に関するものである。
【０００２】
本発明はまた、光学的に書換可能なタイプの記録担体を、データの記録および取出しのためにフォーマットする方法であって、ユーザデータ領域を規定する予め規定された記録フォーマットに従って、記録担体をフォーマットする工程を含み、そのフォーマットする工程が、ユーザデータ領域内の位置が未記録である際に、それらの位置にダミーデータを書き込むことによりデアイシングを行う工程を含むものである方法にも関するものである。
【０００３】
本発明はさらに、記録担体をフォーマットするコンピュータプログラムにも関するものである。
【背景技術】
【０００４】
光記録担体に記録を行うための１つの装置および方法が、米国特許第６１５１２８１号より知られている。この記録担体は、情報が記録されるべきトラックの位置を示す案内溝（通常、プリグルーブと呼ばれる）により構成された、プリトラックパターンを有する。情報は、予め規定された記録フォーマット（たとえばＤＶＤ（デジタル・バーサタイル・ディスク））に従って符号化され、光学的に読取可能なマークを記録することにより表される。プリグルーブは、横断方向への周期的なトラック偏位（以下、ウォブルと呼ぶ）により蛇行している。ウォブルは、アドレスのような追加情報に従って周期的に変動させられてもよい。記録装置には、トラックを走査してマークを書き込むため、放射ビームを発生させるヘッドが設けられている。空の記録担体が最初に使用される際、その記録担体のステータスを示すため、予め規定された量の制御データが記録担体に付与される。さらに、記録領域内にも、たとえばファイルシステム情報のようないくらかのデータが記録され得る。ここで示したような記録担体の初期化は、通常、フォーマット処理と呼ばれる。
【０００５】
予め記録されたディスク用に設計された再生装置内で記録担体の読取りが行われる際、かかる再生装置は、予め規定された記録フォーマットに従って、完全に記録がなされたディスク、とりわけ空の領域を含まないディスクを想定する。そのような空の未記録領域は、通常、「アイス」と呼ばれる。これは、プリグルーブを検出することができない再生装置は、この「アイス（氷）状態の」領域を読みだそうとすると、制御を失うからである。上記の米国特許には、記録担体をフォーマットする１つの方法が記載されており、この方法では、記録領域の始点からスタートして、連続書込みされた領域が生成される。これは通常、デアイシング（ｄｅ−ｉｃｉｎｇ）と呼ばれる。
【０００６】
現在、記録可能な多層記録担体が開発されている。多層記録担体上では、各層が自己の円環状のデータ領域を有する。それらの円環状データ領域が協働して、単一の論理的なデータ記憶スペースを構成してもよい。たとえば、二層型の記録担体では、第１の層上においては、円環状データ領域がリードイン領域を伴って始まり、中間制御領域により終端させられる。その場合、第２の層は、中間制御領域を伴って始まり、リードアウト制御領域により終端させられる。
【発明の開示】
【発明が解決しようとする課題】
【０００７】
しかしながら、上記の米国特許に従う記録担体のデアイシング処理は、かなりの時間を要し、記録担体の使用を開始しようとするユーザを苛立たせる。また、上記の米国特許は、多層記録担体をデアイシングする方法を提示していない。
【０００８】
したがって、本発明の１つの目的は、記録担体をフォーマットして再生装置内で使用できるように準備することが必要な際に、遅延を防止するような、多層型の記録担体をフォーマットする装置および方法を提供することである。
【課題を解決するための手段】
【０００９】
本発明の第１の側面によれば、冒頭の段落で述べたような情報記録装置であって、上記のフォーマット手段が、
− 第１の層と、予め規定された記録フォーマットに従ってユーザデータが最初に記録される、第１の層上の位置を示す第１の半径方向位置とを決定すること、および
− 上記の第１の半径方向位置において、記録担体の第２の層上へのダミーデータの書込みを開始すること
により、多層記録担体のデアイシング処理を行うように構成されている装置によって、上記の目的が達成される。
【００１０】
本発明の第２の側面によれば、冒頭の段落で述べたような記録担体のフォーマット方法であって、フォーマット処理を行う工程が、
− 第１の層と、予め規定された記録フォーマットに従ってユーザデータが最初に記録される、第１の層上の位置を示す第１の半径方向位置とを決定すること、および
− 上記の第１の半径方向位置において、記録担体の第２の層上へのダミーデータの書込みを開始すること
により、多層記録担体のデアイシング処理を行う工程を含んでいることを特徴とする方法によって、上記の目的が達成される。
【００１１】
上記の方策の効果は、フォーマット処理が、多層記録担体のための効果的なデアイシング処理を含むようになった点である。具体的には、記録担体の最初にデアイシングされる部分は、多層記録担体の第２の層上の部分であって、ユーザデータが最初に記録される第１の層上の部分に対応する部分とされる。有利なことに、そのように部分的にデアイシングされた多層記録担体は、読出専用タイプのプレーヤー内において、記録担体の未だ空の領域をプレーヤーが偶発的に走査するリスクを伴わずに、使用することができる。
【００１２】
本発明はまた、以下の認識にも基づいている。多層記録担体を考えると、異なる層上の記録領域は、たとえばＤＶＤまたはＢＤといったような、予め規定された記録フォーマットに従ってフォーマットされ得る。そのような記録フォーマットでは、複数の層のそれぞれにある利用可能な記録スペースは、単一の論理的に連続したユーザデータ領域に統合されるか、各層上の独立したユーザデータ領域としてフォーマットされる。従来より、記録担体をフォーマットする際には、利用可能な記録スペースが、先行するリードイン領域と終端のリードアウト領域とを有する、データ領域にフォーマットされていた。導入部において米国特許第６１５１２８１号を引用して説明したように、フォーマット処理は、デアイシング処理、すなわち、最後に書込みが行われた領域に隣接する半径方向位置から開始して、リードアウト領域へと向かうトラック方向に、ダミーデータを書き込む処理を含み得る。本発明の発明者は、この従来型のデアイシング処理を多層記録担体に適用すると、結果として、まず第１の層を完全にデアイシングし、続いてリードアウト領域へと向かう方向にダミーデータを書き込むことにより、さらなる層をデアイシングする処理となることを予見した。しかしながら、読出専用プレーヤーのような、空の層を正しく処理する能力を有さないプレーヤー内にかかる記録担体が提供されると、第１の層上の記録済みのユーザデータに対向する物理的に空の層部分が、リスクをもたらす。かかる能力を有さないプレーヤーは、第１の層上の記録済みのデータにアクセスしようとする際に、誤って別の層に合焦してしまうかもしれない。本発明の発明者は、本発明で規定するダミーデータの書込シーケンスおよび書込順序を提案することにより、完全にはデアイシングされていない多層記録担体につき、上記のリスクを軽減する解決策を提供した。
【００１３】
本発明の発明者は、国際公開ＷＯ２００５／００２０２３２号に、多層記録担体上に情報を記録する方法が記載されていることに注目した。この方法では、ユーザデータは、予め決められた量の記憶スペースのブロックの単位で、複数の層に亘って実質的に均等に分配されて記録される。しかしながら、この文献は、本発明のようなデアイシング方法は提案していない。そうではなく、この文献は、読出専用プレーヤーに適応させるために、対応の半径方向領域上に記録済領域を有する読出専用型記録担体と類似の態様で、ユーザデータファイルを均等に分布させることを提案している。
【００１４】
最後に、本発明の発明者は、追記型の二層記憶媒体に適したいくつかの記録装置が、市場に登場していることに注目した。しかしながら、そのようなレコーダーは、明らかにデアイシングには関係ない。なぜならば、かかるデアイシングは、追記型の記録担体には適用できないからである。
【００１５】
上記の装置の１つの実施形態では、少なくとも第１の層および第２の層と、その第１の層上に第１の部分を有し、第２の層上に第２の部分を有するユーザデータ領域を構成するための、第１の方向に延びる第１の層上のトラック、およびその第１の方向と反対向きの第２の方向に延びる第２の層上のトラックとを含む、多層記録担体に適応させるため、上記のフォーマット手段は、上記の第１の半径方向位置として、上記の第１の方向において上記の第１の部分に先行する開始領域の、近傍位置を特定すること、および、上記の第２の方向において上記の第２の部分に後続する終端領域の、第２の層上における近傍位置に、第１のダミーユニットが書き込まれるようにして、ダミーデータをダミーユニット単位で書き込むことにより、上記のデアイシング処理を行うように構成される。この形態は、第１の半径方向位置が固定位置であり、ユーザデータを記録するための第１の層が固定層であり、それらが予め規定された記録フォーマットから導出されるものであるという利点を有する。したがって、ダミーデータの書込みを開始する位置もまた固定されており、異なる層上において反対向きのトラック方向を有する多層のデアイシングを、容易に可能とする。上記の装置のさらなる実施形態では、フォーマット手段は、第２の層上の第１のダミーユニットの後に、その第１のダミーユニットに隣接する隣接部分のシーケンスであって、上記の第２の方向と反対向きの方向を有するシーケンスで、後続のダミーユニットを書き込むことにより、デアイシング処理を行うように構成される。こうして、デアイシングされている各々の層のトラック方向と反対向きの方向で、シーケンスが記録される。
【００１６】
上記の装置の１つの実施形態では、フォーマット手段は、第１の層上において、その位置までその第１の層上に予め規定された記録フォーマットに従ってユーザデータが記録される境界半径方向位置を示す、第２の半径方向位置を決定すること、および、記録担体の第２の層上において、上記の第１の半径方向位置から上記の第２の半径方向位置まで、ダミーデータを書き込むことにより、デアイシング処理を行うように構成される。この形態は、まず第２の層がデアイシングされ、一方、ほどなく第１の層上にデータが記録され得るという利点を有する。
【００１７】
上記の装置の１つの実施形態では、フォーマット手段は、第１の層上において、その位置までその第１の層上にユーザデータが記録済みである中間半径方向位置を示す、第３の半径方向位置を決定すること、および、記録担体の第２の層上において、上記の第１の半径方向位置から第３の半径方向位置までダミーデータを書き込み、続いて、第１の層上において、上記の第３の半径方向位置に隣接する位置に、ダミーデータを書き込むことにより、デアイシング処理を行うように構成される。この形態は、既にユーザデータを含む第１の層の部分に対向する第２の層の領域において、デアイシングが開始し、記録済みのユーザデータに隣接する部分において第１の層のデアイシングが続くという利点を有する。この形態は、上記で述べたような能力を有さないプレーヤーが、記録済みのユーザデータの直後に続く、第１の層上の空き領域に触れることを防止する。
【００１８】
上記の装置の１つの実施形態では、フォーマット手段は、先行ダミーユニットに隣接する位置の各シーケンスであって、各層上のそれら各シーケンスが同一の半径方向を有する各シーケンスで、後続のダミーユニットが、上記の第１の層上および少なくとも１つの別の層上に交互に記録されるようにして、ダミーデータをダミーユニット単位で書き込むことにより、デアイシング処理を行うように構成される。上記の実施形態は、３つ以上の層を有する多層記録担体にも使用可能である点に留意されたい。この実施形態では、ダミーデータは、空である各々すべての層上において、類似の半径方向位置に書き込まれる。したがって、各々すべての層上において、デアイシングが生じる。その後、同一の方向、すなわち第１の層上におけるユーザデータの書込み方向に沿って、次の半径方向位置へとデアイシングが進行する。
【００１９】
本発明に係る方法および装置のさらなる好ましい実施形態は、さらなる請求項において提示されている。
【発明を実施するための最良の形態】
【００２０】
以下の説明において図面を参照しながら例として説明される実施形態を参照することにより、本発明の上記およびその他の特徴が、さらに明らかとされる。図中において、説明済みの要素に対応する要素は、同一の参照番号を有する。
【００２１】
図１は、トラック９と中心穴１０とを有する、ディスク形状の記録担体１１を示している。トラック９は、情報層上において、実質的に平行なトラックを構成する複数巻の螺旋パターンに従って配されている。記録担体は、記録可能型の情報層を有する光ディスクであってもよい。記録可能型ディスクの例としては、ＣＤ−Ｒ、ＣＤ−ＲＷおよびＤＶＤ＋ＲＷが挙げられる。記録可能型の記録担体上のトラック９は、空の記録担体の製造時に付与されたプリトラック構造（たとえばプリグルーブ）により示されている。記録された情報は、トラックに沿って記録された光学的に検出可能なマークによって、情報層上に表される。マークは、第１の物理的なパラメータの変動によって構成されており、したがって周囲とは異なる光学特性を有する。マークは、反射ビーム中の変動、たとえば反射率の変動によって検出可能とされている。
【００２２】
空の記録担体の走査中において、プリトラックパターン（たとえばウォブル変調を含むパターン）は、トラッキングサーボ信号を生成するための検出器セグメントまたは追加の検出器により検出可能な反射ビームの断面強度の変動といったような、別のタイプの放射変動によって検出可能とされている。トラッキングサーボシステムのためにウォブルを利用することは、ＣＤ−Ｒ／ＲＷおよびＤＶＤ＋ＲＷシステムからよく知られている。ウォブル変調は、たとえば米国特許第６５３８９８２号に記載されているように、物理アドレスおよび制御情報を符号化するのに利用される。
【００２３】
記録担体は、たとえばビデオもしくはオーディオ情報、またはコンピュータデータのような他の情報といったような、リアルタイム情報を担持することを意図されているかもしれない。
【００２４】
本発明に係る情報記録システムは、記録担体の同じ側から記録可能な少なくとも２つの層を有する、多層記録担体に関連するものである。ＤＶＤでは、第１の層（Ｌ０；論理的な記録順序において最初の層であることを示す）が、第２の層（Ｌ１)よりも、入射面に近い位置に配されている。ここで、通常は、「第１の」層がレーザーの入射面により近い層であり、「第２の」とは、レーザーの入射面から遠い側の層を示す点に留意されたい。
【００２５】
既存の読出専用の標準化された（たとえばＤＶＤ−ＲＯＭ規格）記録担体との間に要求される互換性のため、ＤＶＤタイプの二層記録可能型（または書換可能型）ディスクのレイアウトには、２つの可能な選択肢がある。これら２つのオプションは、両方の層の螺旋の方向を表して、「パラレルトラックパス」（ＰＴＰ）および「オポジットトラックパス」（ＯＴＰ）と呼ばれる。ＰＴＰディスクでは、（単一のアドレス指定可能なスペースに論理的に統合され得る）１層につき１つの情報領域が存在する。一方、ＯＴＰディスクでは、情報領域は、第１の層（Ｌ０）上に第１の部分を有し、第２の層（Ｌ１）上に第２の部分を有する。オポジットトラックパス（ＯＴＰ）モードの二層ディスク用のＤＶＤ−ＲＯＭ規格では、単一の情報領域が、２つの層に亘って規定されている。
【００２６】
図２は、多層光ディスクを示している。Ｌ０は第１の層４０であり、Ｌ１は第２の層４１である。第１の透明層４３は第１の層をカバーしており、スペーサ層４２は両方の層４０と４１とを隔てており、基板層４４は第２の層４１の下に示されている。第１の層４０は、第２の層４１と比べて、記録担体の入射面４７により近い位置に配されている。Ｌ０層に合焦させられた第１の状態４５のレーザービーム、およびＬ１層に合焦させられた第２の状態４６のレーザービームが図示されている。
【００２７】
多層ディスクは、ＤＶＤ−ＲＯＭまたはＤＶＤ−Ｖｉｄｅｏといったような読出専用の予め記録されたディスクとしては、既に入手可能となっている。また、書込可能な二層ディスクも知られている。二層ＤＶＤ＋ＲＷディスクが近年提案されており、このディスクは、二層ＤＶＤ−ＲＯＭ規格と互換性を有するものとされている。Ｌ０層は、約４０−６０％の透過率を有する。両層の実効反射率は、典型的には７％であるが、より低いまたはより高い値（３％−１８％）も可能である。３層以上の層を有する書込可能型および書換可能型の光記憶媒体も、検討されている。
【００２８】
ＤＶＤ＋ＲＷ  ＤＬは、二層ＤＶＤ＋ＲＷディスクである。単層ディスクと同様に、製造ラインから出てきたときは、いずれの層も全く未書込みの状態である。ディスク上の未書込みの領域は「アイス」と呼ばれる。これは、ＤＶＤ−ＲＯＭディスクの読取りしかできない通常の光ドライブは、この空の層を平坦面として認識し、その層上においてトラッキングを行うことができないためである。そのような性能の限られたドライブが書換可能型ディスク上をトラッキングするためには、ＤＶＤ＋ＲＷディスクに書き込む機能を有するドライブが、ディスク上にデータを書き込まなくてはならない。書換可能型ディスク上の書込済みの領域は、「デアイシングされた」領域とも呼ばれる。いったん単層ディスクのリードイン領域からリードアウト領域まで書込みが行われると、ＤＶＤ−ＲＯＭを読み出す性能しか有さないドライブも、問題なくディスクを読み出すことができる。
【００２９】
二層または多層の書換可能型ディスクは、単層型に加えて、ＤＶＤ−ＲＯＭドライブとの互換性に関し追加の問題を有する。それは、ＤＶＤ−ＲＯＭドライブは、任意の層に意図しないジャンプを行う可能性があるという問題である。このことは、１つの層のみが完全に書き込まれた多層記録担体がそのようなドライブ内で使用されると、たとえユーザデータがなくても（したがって理由がなくても）、ドライブが第２の層にジャンプするため、ＤＶＤ−ＲＯＭプレーヤがクラッシュしかねないことを示唆する。したがって、多層の書換可能型ディスクに関し、通常は内径側から外径側であるユーザデータの書込方向で、すべての層に同量（すなわち、少なくとも書き込まれるユーザデータの量に対応する量）の書込みを行わせることが提案される。
【００３０】
図３は、記録装置を示している。この装置には、記録担体１１上のトラックを走査する走査手段が設けられており、この走査手段は、記録担体１１を回転させる駆動ユニット２１と、ヘッド２２と、ヘッド２２をトラック上に位置決めするためのサーボユニット２５と、制御ユニット２０とを含む。ヘッド２２は、光学素子を介して導光され記録担体の情報層のトラック上の放射スポット２３に集光させられる、放射ビーム２４を発生させるための、既知のタイプの光学系を含んでいる。放射ビーム２４は、たとえばレーザーダイオードのような放射源により発生させられる。ヘッドはさらに、ビームの光軸に沿って放射ビーム２４の焦点を移動させるフォーカシングアクチュエータと、トラック中心上にスポット２３の半径方向位置を細かく位置決めするトラッキングアクチュエータとを含んでいる（図示せず）。トラッキングアクチュエータは、光学素子を半径方向に移動させるコイルを含んでいてもよいし、あるいは、反射素子の角度を変えるように構成されていてもよい。フォーカシングアクチュエータおよびトラッキングアクチュエータは、サーボユニット２５からのアクチュエータ信号により駆動される。読取りのため、情報層により反射された放射は、ヘッド２２内の通常タイプの検出器（たとえば４分割ダイオード）により検出され、この検出器は、フロントエンドユニット３１にカップリングされる検出信号を生成する。フロントエンドユニット３１は、主走査信号３３と、トラッキングおよびフォーカシングのためのエラー信号３５とを含む、様々な走査信号を生成する。エラー信号３５は、トラッキングアクチュエータおよびフォーカシングアクチュエータを制御するため、サーボユニット２５にカップリングされる。主走査信号３３は、通常タイプの読取処理ユニット３０によって処理される。この読取処理ユニット３０は、情報を取得するため、復調器、デフォーマッタ、および出力ユニットを含む。制御ユニット２０は、たとえばマイクロプロセッサ、プログラムメモリおよびコントロールゲートといった、制御回路系を含んでいる。制御ユニット２０はまた、論理回路内にステートマシンとして実装されてもよい。
【００３１】
この装置には、書込可能型または書換可能型の多層記録担体上に情報を記録するための、記録手段が設けられている。記録手段は、入力ユニット２７と、フォーマッタ２８と、レーザーユニット２９とを含んでおり、ヘッド２２およびフロントエンドユニット３１と協働して、書込用の放射ビームを発生させる。フォーマッタ２８は、制御データの追加、および記録フォーマットに従ったフォーマット処理ならびにデータの符号化を行う。このフォーマット処理および符号化は、たとえば、エラー訂正コード（ＥＣＣ）の追加、パターンの同期化、インターリービングおよびチャネル符号化により行われる。フォーマットされたユニットは、アドレス情報を含み、制御ユニット２０による制御下において、記録担体上の対応のアドレス指定可能な位置に書き込まれる。フォーマッタ２８の出力部からのフォーマットされたデータは、選択された層内にマークを書き込むべくレーザーパワーを制御するレーザーユニット２９へと受け渡される。
【００３２】
ある実施形態では、記録装置は、記憶システムのみ、たとえばコンピュータで利用される光ディスクドライブとされる。制御ユニット２０は、標準化されたインターフェースを介して、ホストコンピュータシステム内の処理ユニットと通信するように構成されている。デジタルデータは、フォーマッタ２８および読取処理ユニット３０に、直接インターフェースされる。
【００３３】
ある実施形態では、装置は、たとえば民生用のビデオ記録装置といったような、スタンドアロン型のユニットとして構成される。制御ユニット２０、または装置内に含まれる追加のホスト制御ユニットは、ユーザにより直接制御され、ファイル管理システムの機能を実行するように構成される。装置は、アプリケーションデータの処理、たとえばオーディオおよび／またはビデオの処理回路を含む。ユーザ情報は、入力ユニット２７において提示される。この入力ユニット２７は、アナログのオーディオならびに／もしくはビデオ、または圧縮されていないデジタルのオーディオ／ビデオといったような入力信号のための、圧縮手段を含んでいてもよい。適切な圧縮手段としては、たとえば、オーディオに関しては国際公開ＷＯ９８／１６０１４−Ａ１（ＰＨＮ  １６４５２）に記載されているものが、ビデオに関してはＭＰＥＧ２規格に記載されているものが挙げられる。入力ユニット２７は、オーディオおよび／またはビデオを処理して、フォーマッタ２８に受け渡される情報のユニットとする。読取処理ユニット３０は、適当なオーディオおよび／またはビデオ復調ユニットを含んでいてもよい。
【００３４】
制御ユニット２０は、図４および５を参照して以下で説明するようにして、多層記録担体にフォーマット機能を実行するフォーマットユニット１６を含んでいる。ここで、フォーマット機能は、上記に代えてあるいは少なくとも部分的に、別の処理ユニット内で実行されてもよく、たとえばソフトウェアドライバを介してホストコンピュータ内で実行されてもよい点に留意されたい。
【００３５】
記録装置の多くの機能は、予め規定された規格に従って規定されてもよい。たとえば、光記録担体のフォーマット処理が、Ｎａｔｉｏｎａｌ  Ｃｏｍｍｉｔｔｅｅ  ｆｏｒ  Ｉｎｆｏｒｍａｔｉｏｎ  Ｔｅｃｈｎｏｌｏｇｙ  Ｓｔａｎｄａｒｄｓ（ＮＣＩＴＳ）：ワーキングドラフト、Ｔ１０／１６７５−Ｄ、改訂第１版（Ｒｅｖｉｓｉｏｎ  １）、２００４年１０月１１日、「ＩＮＦＯＲＭＡＴＩＯＮ  ＴＥＣＨＮＯＬＯＧＹ−Ｍｕｌｔｉｍｅｄｉａ  Ｃｏｍｍａｎｄｓ  ＭＭＣ−５（情報技術−マルチメディアコマンドＭＭＣ−５）」というドラフト案から知られている（以下、本明細書ではＭＭＣ−５と呼ぶ）。ＭＭＣ−５では、ユーザデータの書込みを可能とする前に、ＤＶＤ＋ＲＷディスクをフォーマットする必要がある。フォーマットコマンドは、ＭＭＣ−５で規定されているように、既知のプロトコルに従って与えられてもよい。このフォーマットに従って、ユーザデータ領域が生成される。このユーザデータ領域に先行して、リードイン制御領域が存在する。また、リードイン制御領域に後続するデータ領域の後には、通常はリードアウトと呼ばれるさらなる制御領域が、データ領域の終端境界に記録されてもよい。
【００３６】
さらなる機能が、ＭＭＣ−５（第１章）中で記述されている周知のＡＴＡ／ＡＴＡＰＩ規格、およびＭＭＣ−５（第２．１．２章）中で引用されているパケットインターフェース５を伴うＮＣＩＴＳ  Ｔ１３／１３２１Ｄ  ＡＴアタッチメント（ＡＴＡ／ＡＴＡＰＩ−５）で規定されている。かかる装置は、ＡＴＡ／ＡＴＡＰＩ装置と呼んでもよい。
【００３７】
一般的に、空のディスクは、ＤＶＤ−ＲＯＭドライブにより読出可能とされるためには、順序立ててフォーマットされなくてはならない。フォーマットコマンド（ＦＯＲＭＡＴコマンド）が与えられると、装置は、たとえばリードイン制御領域を書き込むことにより、実際のフォーマット処理を開始することができる。このコマンドおよびそれに伴う潜在的な処理をただちに完了しなくてはならないか否かは、具体的なフォーマットコマンドに依存する。フォーマット処理がただちに完了されなくてはならない場合は、ドライブは、リードインが完全にフォーマットされるまで、ＡＴＡバスを占有する。しかしながら、通常、フォーマットコマンドは、デアイシング処理を特に必要としない。デアイシング処理は、フォーマットコマンドによってトリガされてもよいし、記録装置自体の動作において記録装置により開始されてもよい。一般的に、デアイシング処理は、記録装置の制御下におけるバックグラウンド処理として、すなわちコマンドの受信からは独立して、実行することができる。デアイシング処理が進行する一方、装置は、記録担体上のユーザデータの記録または取出しを行うコマンドの受信および実行も行い、このことがデアイシング処理を一時的に中断させる。
【００３８】
本発明の主な関心は、多層記録担体のフォーマット処理、とりわけデアイシング処理にある。フォーマット手段１６は、以下のようにして多層記録担体のデアイシング処理を行うように構成されている。ユーザデータが最初に記録された、または通常はユーザデータが最初に記録される、第１の半径方向位置および第１の層が決定される。したがって、第１の半径方向位置は、ユーザデータが最初に記録される第１の層上の位置を示し、この位置は、予め規定された記録フォーマットに従って選択される。ユーザデータが既に記録されている場合には、そのユーザデータの実際の位置が使用されてもよい。続いて、デアイシングのためのダミーデータの書込みが、記録担体の第２の層上において、第１の半径方向位置から開始される。実際には、書込みは、かかる第１の半径方向位置の前から始まり同位置の後で終了してもよく、ブロック単位で進行してもよい。明らかなことであるが、その記録担体上の別の位置にいくらかのデータが既に記録されている場合には、かかる位置は、ダミーデータの書込中においてスキップされる。ある実施形態では、記録担体のどの領域が既に書込済みであるかを示す、ステータス情報が保持されている。かかるステータス情報は、たとえばファイル管理システムから情報を取り出すことにより、一部記録済みの記録担体に対して生成されてもよいし、以前に使用された記録担体をフォーマットする場合には、記録担体の表面を走査することにより生成されてもよい。
【００３９】
多層記憶媒体のための１つの実施形態では、媒体は、隣接する層において反対方向のトラックパターンを有する、オポジットトラックパス記録担体と呼ばれるものであってもよい。たとえば、オポジットトラックパスを有する二層ディスクは、Ｌ０と呼ばれる第１の層上の最も小さな半径方向位置に、記録可能領域の物理的な内側境界を構成するリードイン領域を、第１の制御領域として有していてもよい。Ｌ１と呼ばれる第２の層上には、物理的な内側境界の対応の半径方向位置に、リードアウト領域と呼ばれる第１の制御領域が記録され、このリードアウト領域が、Ｌ１上のデータ領域を終端させる。
【００４０】
図４は、オポジットトラックパス記録担体上への記録を示している。通常はＬ０と呼ばれる第１の層４０、および通常はＬ１と呼ばれる第２の層４１が、中心穴１０に半径方向の中心が置かれた状態で示されている。Ｌ０層は、そのＬ０層上の第１の半径方向位置６１に記録された第１の制御領域５１と、そのＬ０層上の第２の半径方向位置６２に記録された第２の制御領域５２とを有している。Ｌ１層は、第１の半径方向位置６１に記録された第１の制御領域５４と、第２の半径方向位置６２に記録された第２の制御領域５３とを有している。各層上において、両方の制御領域の間には、円環状データ領域が形成され、この円環状データ領域は、上記の半径方向位置により決定されるデータサイズを有する。ここで、両方の層上におけるトラック方向は、逆向きであると想定されている。その場合、Ｌ０層上の第１の制御領域５１が、通常、リードイン領域と呼ばれ、Ｌ１層の第１の制御領域５４が、通常、リードアウト領域と呼ばれる。中間的に層を開始または終端させるさらなる領域は、中間領域と呼ばれてもよい。各層上において同一のトラック方向を有する記録担体では、複数の層が、独立した複数のユーザデータ領域を構成してもよいし、組み合わされて単一の論理的に連続したデータ領域とされてもよい。ここで、上記の制御領域は、さらなる制御データの記録前に記録されても、さらなる制御データの記録後に記録されてもよく、とりわけ上記のデアイシング処理は、制御領域の記録前に既に開始していてもよい。
【００４１】
ユーザデータファイル５５が、記録済みの領域として示されている。従来のデアイシング方法によれば、空の表面をデアイシングするための第１のダミーデータが、ユーザデータファイル５５に隣接する次の領域５６に書き込まれる。さらなるダミーデータが、連続シーケンスとして記録される。このシーケンスは、Ｌ０を完了した後、矢印５７で示すように論理アドレスおよびトラック方向の順序に沿って、さらなる層上において継続する。ここで、単層ディスクのフォーマット処理は、常に最も低い論理アドレスから最も高い論理アドレスに向かって進行する点に留意されたい。多層ディスクに対して行う論理的な方法もまた、矢印５７で示すように、最も低い論理アドレスから最も高い論理アドレスに向かってのフォーマット処理であろう。
【００４２】
図５は、オポジットトラックパス記録担体に対する多層バックグラウンドフォーマット処理を示している。図４と同様に、第１の層４０および第２の層４１が示されており、Ｌ０層は、第１の制御領域５１（リードイン領域）および第２の制御領域５２を有している。Ｌ１層は、第１の制御領域５４（リードアウト領域）および第２の制御領域５３を有している。ユーザデータファイル５５は、記録済みの領域として示されている。ここで、第１の半径方向位置にある矢印５０は、最初にユーザデータを記録する初期位置を示す点に留意されたい。この位置は、円環状の記録可能領域の内側境界近く、リードイン領域のすぐ隣の位置である。
【００４３】
新規な多層デアイシング方法によれば、第１のダミーデータユニット６０が、Ｌ１層の空の表面をデアイシングするために、第１の半径方向位置５０に書き込まれる。Ｌ１層上において、トラック方向とは反対向きの矢印５９で示す方向に、複数のダミーデータユニットが書き込まれている。ここで、データの書込みは、通常と同様、二層ＯＴＰディスクのＬ１層上では外径側から内側へと向かう、トラック方向に行われなくてはならない点に留意されたい。しかしながら、矢印５９は、後続のダミーユニットがさらに外側の位置に記録されること（すなわち、各回において、トラック内の先行するダミーユニットより前のアドレスから開始すること）、およびかかる前のアドレスまでの領域にダミーデータの書込みを行うことを示している。そのような領域に書込みを行った後、ヘッドは、次の開始アドレスまで後方ジャンプしなくてはならない。こうして、デアイシングされた領域５８がユーザデータファイル５５に対向して生成され、ダミーデータは、矢印５９により示すようにＬ１上で続く、連続したシーケンスとして記録される。ここで、２つよりも多くの層を有する多層記録担体上では、各層上に平面共通のデアイシング領域を形成するために、さらなる層に続けて書き込みが行われる。
【００４４】
この新規な多層デアイシング方法は、Ｌ０層上においてＬ０ｓｉｚｅまでの完全な書込みがまだ行われていないようなＤＶＤ＋ＲＷ  ＤＬディスクにおいて、Ｌ１層上の書込済領域が、常に、Ｌ０上の書込済領域と等しいか、Ｌ０上の書込済領域より大きい状態を実現する。好ましくは、Ｌ１層上の書込済領域は、予め決められた量だけ、Ｌ０上の書込済領域よりも大きくされる。これは、より性能の低いドライブが、異なる層上の書込済領域にジャンプする際に、決してアイスに当たらないことを確かにするためである。Ｌ１領域は、とりわけ、ディスクが取り出され、デアイシング処理が中断される際に、書き込まれる必要がある。一部のみデアイシングされた多層記録担体は、「中間的な」ディスクフォーマットを施されたディスクと呼ばれ、かかるディスクでも、より性能の低い再生装置と互換性を有する。
【００４５】
図６は、記録システムの１つのフォーマット機能を示している。このフォーマット機能は、ソフトウェアプログラムに基づいて、ＰＣまたはマイクロプロセッサといったようなプログラミング可能なユニット内で実行されてもよい。あるいは、このフォーマット機能は、光ディスクドライブのような記録装置内に内蔵されてもよい。まず、開始点６１において、システムは使用できる状態になっていると想定する。マウント工程６２では、記憶媒体１１が入れられ（たとえば挿入またはアクティブ化され）、記憶媒体に物理的にアクセスするためのユニットがアクティブ化される。受信工程６３では、コマンドが、インターフェース（たとえばユーザインターフェースまたはＰＣシステムへのインターフェース）を介して受信され得る。ここでは、フォーマットコマンドが受信されるものと想定する。次に、デアイシング処理が開始される。決定工程６４では、最初のデータが到達した際に論理的に用いられる、ユーザデータの記録位置が決定される。具体的には、第１の半径方向位置および第１の層が決定される。この第１の半径方向位置は、予め規定された記録フォーマットに従ってユーザデータが最初に記録される、第１の層上の位置を示す。続いて、位置設定工程６５において、別の層上においてダミーデータの書込みを開始する位置が設定される。この位置は、第１の半径方向位置に基づいている（すなわち、この位置は、第１の半径方向位置をカバーする）。ダミー記録工程６６において、１ユニットのダミーデータが記録される。次への工程６７において、さらなるダミーデータユニットが必要であるか否かが特定される。すべての空の領域の書込みが完了している場合には、準備完了点６８において、デアイシング処理が終了させられる。次への工程６７において、さらなるダミーユニットの書込みが必要な場合には、ダミー記録工程６６に戻る決定がなされる。書込みが行われるべき次の位置は、たとえば以下で述べるようなデアイシング方法に従って設定される。
【００４６】
図７は、１つのバックグラウンドフォーマット方法を示している。フォーマット方法の第１の例７１が、図の上側部分に示されており、フォーマット方法の第２の例７２が、下側部分に示されている。いずれの例においても、層Ｌ０と層Ｌ１とを有し、Ｌ０上に記録済みのユーザデータ領域を有する多層記録担体が示されている。
【００４７】
第１の例７１では、ダミーデータユニット（ダミー１、ダミー２等と番号付けされている）のシーケンスが付与されており、このシーケンスは、Ｌ０上のユーザデータの開始点に対向する、Ｌ１上の位置において（ダミー１で）始まる。後続のダミーデータユニットは、Ｌ０上にユーザデータが記録されたのと同一の方向で、Ｌ１上に記録される。層Ｌ１が完全にデアイシングされると（ダミー８）、このシーケンスは、Ｌ０上のユーザデータの後において継続する（ダミー９）。
【００４８】
第２の例７２では、Ｌ０上のユーザデータの開始点に対向する、Ｌ１上の位置において（ダミー１で）始まるが、第３の半径方向位置７３をカバーする位置（ダミー４）までしか続かない、ダミーデータユニットの別のシーケンスが付与されている。この第３の半径方向位置は、既に記録済みのユーザデータの終端をマークしている。その後のダミーデータユニットは、Ｌ０上にユーザデータが記録されたのと同一の方向で、Ｌ０上とＬ１上とに交互に記録される。次のダミーデータ（ダミー５）は、Ｌ０上の、既に記録済みのユーザデータに隣接する位置に記録され得る。
【００４９】
ここで第２の例７２では、Ｌ０層上の最初のダミーデータ（ダミー５）は、ダミーユニットを規則的なパターンに整列させるために、他のユニットよりも短いものとして図示されている点に留意されたい。このようなパターンを用いると、どの領域がデアイシング済みであるかに関するステータス情報を、容易に保持することができる。ダミーデータユニットを記録するためのこの交互のシーケンスは、両方の層が完全にデアイシングされるまで続く（ダミー１３）。
【００５０】
１つの実施形態では、フォーマットユニットは、多層記録担体の各層について、連続して書き込まれた領域のサイズおよび／または位置を示す、ステータス情報を保持するように構成される。とりわけ、そのようなステータス情報は、デアイシング処理が中断された際に後で利用するために、たとえば記録装置のメモリ内に保存される。さらに、ステータス情報は、たとえば取出コマンドが実行される際に、記録担体自体に記録されてもよい。フォーマット手段は、記録担体が挿入された際に、このステータス情報を取り出すために記録担体を走査してもよい。１つの具体的なケースでは、少なくとも第１の半径方向位置から延在する、連続して書き込まれた領域のサイズが保持される。
【００５１】
以上、主にＤＶＤ＋ＲＷ二層光ディスクを用いた実施形態によって本発明を説明してきたが、本発明は、四角形の光カード、光磁気ディスク、高密度（ブルーレイ）ディスク、または円環状の領域にフォーマットされるべき記録可能な多層担体を有する任意の他のタイプの情報記憶系といった、他の多層記録担体にも適したものである。とりわけ、層の数は、二層よりも多くてもよい。その場合、開始および終端境界を与える対応の制御領域は、複数層のスタックのユーザデータ領域が空間的に一致するようにして、各層上に配置され得る。デアイシングは、任意の他の層に記録されたユーザデータと平面共通の、各層上の対応する半径方向位置で行われる。
【００５２】
ここで、本明細書および特許請求の範囲において、「含む」または「備える」との語は、列挙された以外の要素または工程の存在を排除するものではなく、ある要素に先行する「１つの」との語は、そのような要素が複数存在することを排除するものではなく、いずれの参照符号も特許請求の範囲を限定するものではなく、本発明は、ハードウェアとソフトウェアとの両方によって実装可能であり、いくつかの「手段」または「ユニット」が、ハードウェアまたはソフトウェアの同一項目によって代表されてもよい点に留意されたい。さらに、本発明の技術的範囲は、上記の実施形態に限定されるものではなく、本発明の思想は、上記で述べた新規な特徴およびそれら特徴の組合せの各々すべてに見出されるものである。
【図面の簡単な説明】
【００５３】
【図１】ディスク形状の記録担体を示した図
【図２】多層光ディスクを示した図
【図３】記録装置を示した図
【図４】オポジットトラックパスの記録担体上への記録を示した図
【図５】１つのバックグラウンドフォーマット方法を示した図
【図６】記録システムのフォーマット機能を示した図
【図７】１つのバックグラウンドフォーマット方法を示した図
【図１】
2009518771.tif 000003
【図２】
2009518771.tif 000004
【図３】
2009518771.tif 000005
【図４】
2009518771.tif 000006
【図５】
2009518771.tif 000007
【図６】
2009518771.tif 000008
【図７】
2009518771.tif 000009
【国際調査報告】
2009518771.tif 000010
2009518771.tif 000011
2009518771.tif 000012